(57)【要約】【課題】居室モニタに異常な過電流が流れた場合、その状態を自動的に検出し居室モニタで異常が発生したことを管理室親機に通知する。【解決手段】共同玄関に設置された集合玄関機１の制御・通話系幹線Ｌ１ａ、映像系幹線Ｌ１ｂを、通話制御機６、映像制御機７を介して居室毎に設置された居室端末２ａ、２ｂ、…、居室モニタ３ａ、３ｂ、…にそれぞれ接続すると共に、制御・通話系幹線を通話制御機を介して管理室親機５に接続し、映像制御機は、居室モニタの回路が故障し居室モニタに異常な過電流が流れた場合、その状態を検出する過電流検出回路７２を有し、通話制御機は、過電流検出回路からの検出信号により居室モニタで異常が発生したことを管理室親機に警報音と居室番号の通話メッセージとして通知する管理室親機通信回路６４を有する。【選択図】図１
2004179926.tif 000002
【特許請求の範囲】
【請求項１】
共同玄関に設置された集合玄関機（１）の制御・通話系幹線（Ｌ１ａ）、映像系幹線（Ｌ１ｂ）を、通話制御機（６）、映像制御機（７）を介して居室毎に設置された居室端末（２ａ、２ｂ、…）、居室モニタ（３ａ、３ｂ、…）にそれぞれ接続すると共に、前記制御・通話系幹線を前記通話制御機を介して管理室親機（５）に接続し、
前記映像制御機は、前記居室モニタの回路が故障し前記居室モニタに異常な過電流が流れた場合、その状態を検出する過電流検出回路（７２）を有し、
前記通話制御機は、前記過電流検出回路からの検出信号により前記居室モニタで異常が発生したことを前記管理室親機に警報音と居室番号の通話メッセージとして通知する管理室親機通信回路（６４）を有することを特徴とする集合住宅用インターホンシステム。
【請求項２】
前記映像制御機には、前記集合玄関機から伝送された映像信号を受信する映像信号受信回路（７４）と、前記過電流検出回路からの検出信号を受信し前記居室モニタに過電流が流れている過電流情報を前記通話制御機に通知するための過電流通知回路（７１）とを搭載し、
前記通話制御機には、前記過電流通知回路から出力された過電流信号を受信するための過電流受信回路（６２）と、現在呼出している居室番号を格納するための居室番号記憶部（６５）と、前記過電流が流れている居室の居室番号と過電流警報音を前記管理室親機に通話メッセージとして出力するための通話合成回路（６３）とを搭載し、
前記管理室親機には、前記管理室親機通信回路から出力された通話メッセージを受信するための管理室親機受信回路（５１）と、受信した通話メッセージを出力するための拡声スピーカ（５２）とを搭載したことを特徴とする請求項１記載の集合住宅用インターホンシステム。
【発明の詳細な説明】
【０００１】
【発明の属する技術分野】
本発明は、集合住宅用インターホンシステムに係わり、特に居室モニタに異常な過電流が流れた場合、その状態を自動的に検出し居室モニタで異常が発生したことを管理室親機に通知することができる集合住宅用インターホンシステムに関する。
【０００２】
【従来の技術】
従来から、この種の集合住宅用インターホンシステムとして、管理人室に設けられた通話制御装置と、管理人室に設けられ、内部に電源供給回路を有する映像制御装置と、マンション等の集合住宅の集合玄関に設けられ、操作盤やインターホンを有する集合玄関機と、カメラを有する集合玄関機と、集合住宅の複数の部屋にそれぞれ設けられたインターホンを有する住宅情報盤と、集合住宅の複数の部屋にそれぞれ設けられたモニタ装置とを備えて成るものが知られている（例えば、特許文献１参照）。
【０００３】
ここで、モニタ装置は、映像信号を処理する信号処理回路と、信号処理回路からの映像信号に基づき映像を表示する表示装置と、信号処理回路に電源を供給する第１の電源回路と、表示装置のための電源を供給する第２の電源回路と、第１または第２の電源回路の一方からの電源の供給を受けて動作し、一定時間後に、他方の電源回路に電圧出力指令を出力する電源制御回路とを備えており、また、映像制御装置は、内部に過電流検出器と、当該過電流検出器で過電流が検出された時に起動するタイマと、当該タイマによる規定時間を経過すると共に、過電流が検出されている時にオフされるスイッチとを備えている。
【０００４】
このようなモニタ装置を有する集合住宅用インターホンシステムによれば、モニタ装置への突入電流を小さくすることができ、また、装置全体の発熱量も少なくすることができるという効果を有している。
【０００５】
【特許文献１】特開２００１−３５２５４０号公報（段落番号「０００２」、「００１６」〜「００２４」、図１〜図３）
【０００６】
【発明が解決しようとする課題】
ところで、このようなモニタ装置を有する集合住宅用インターホンシステムにおいては、モニタ装置内の回路（信号処理回路、第１、第２の電源回路、電源制御回路等）に故障が発生してモニタ装置に過電流が流れると、当該過電流が映像制御装置の過電流検出器により検出され、これにより過電流保護回路としてのタイマが起動し規定時間経過後にスイッチがオフし、ひいてはモニタ装置に対する映像制御機からの電源供給が停止されることになる。
【０００７】
ここで、上記の過電流保護回路がラッチ式のもので構成されている場合、集合玄関機と住宅情報盤間における通話が終了しても、映像系幹線に対する映像制御装置からの電源供給が復旧されず、ひいては集合玄関機から他の住宅情報盤に対して呼出操作を行なっても当該モニタ装置が動作しないという難点があった。
【０００８】
また、このようなモニタ装置を有する集合住宅用インターホンシステムにおいては、一つの映像系幹線に複数の住宅情報盤およびモニタ装置が接続されていることから、一つのモニタ装置に故障が発生すると映像系幹線全体が停止し、ひいては、故障が発生した居室内の居住者から故障発生の通報がない限り、管理人においては故障が発生しているモニタ装置を判別できず、また、当該居室内の居住者が不在の場合は、故障発生の状態がそのまま放置されるおそれがあるという難点があった。
【０００９】
本発明は、このような難点を解決するためになされたもので、居室モニタに異常な過電流が流れた場合、その状態を自動的に検出し居室モニタで異常が発生したことを管理室親機に通知することができる集合住宅用インターホンシステムを提供することを目的とする。
【００１０】
【課題を解決するための手段】
上記の目的を達成するため、本発明の集合住宅用インターホンシステムは、共同玄関に設置された集合玄関機の制御・通話系幹線、映像系幹線を、通話制御機、映像制御機を介して居室毎に設置された居室端末、居室モニタにそれぞれ接続すると共に、制御・通話系幹線を通話制御機を介して管理室親機に接続し、映像制御機は、居室モニタの回路が故障し居室モニタに異常な過電流が流れた場合、その状態を検出する過電流検出回路を有し、通話制御機は、過電流検出回路からの検出信号により居室モニタで異常が発生したことを管理室親機に警報音と居室番号の通話メッセージとして通知する管理室親機通信回路を有している。
【００１１】
また、本発明の集合住宅用インターホンシステムにおける映像制御機には、集合玄関機から伝送された映像信号を受信する映像信号受信回路と、過電流検出回路からの検出信号を受信し居室モニタに過電流が流れている過電流情報を通話制御機に通知するための過電流通知回路とを搭載し、通話制御機には、過電流通知回路から出力された過電流信号を受信するための過電流受信回路と、現在呼出している居室番号を格納するための居室番号記憶部と、過電流が流れている居室の居室番号と過電流警報音を管理室親機に通話メッセージとして出力するための通話合成回路とを搭載し、管理室親機には、管理室親機通信回路から出力された通話メッセージを受信するための管理室親機受信回路と、受信した通話メッセージを出力するための拡声スピーカとを搭載している。
【００１２】
本発明の集合住宅用インターホンシステムによれば、居室モニタに異常な過電流が流れた場合、当該過電流が映像制御機の過電流検出回路で検出され、居室モニタの異常状態が警報音と居室番号の通話メッセージとして管理室親機へ通知されることから、居住者から居室モニタに故障が発生した旨の通知がない場合であっても、管理人においては、いずれの居室モニタで故障が発生しているかを判別することができ、また、当該居住者が不在の場合であっても、居室モニタの故障の発生を自動的に検出することができる。
【００１３】
【発明の実施の形態】
以下、本発明の集合住宅用インターホンシステムを適用した好ましい実施の形態例について、図面を参照して説明する。ここで、図１は、本発明の集合住宅用インターホンシステムのブロック図を示している。
【００１４】
同図において、本発明の集合住宅用インターホンシステムは、集合住宅の共同玄関に設置される集合玄関機１と、居室毎にそれぞれ設置される居室端末２ａ、２ｂ、…および居室モニタ３ａ、３ｂ、…と、各居室の近傍にそれぞれ設置される分岐器４ａ、４ｂ、…と、管理室に設置される管理室親機５と、集合玄関機１、居室端末２ａ、２ｂ、…および管理室親機５間のデータおよび通話の制御を行なうための通信制御機６と、集合玄関機１と居室モニタ３ａ、３ｂ、…間の映像の制御を行なうための映像制御機７とを備えている。ここで、集合玄関機１は、第１の制御・通話系幹線Ｌ１ａを介して通信制御機６に、第１の映像系幹線Ｌ１ｂを介して映像制御機７にそれぞれ接続され、通信制御機６には第２の制御・通話系幹線Ｌ２ａを介して各分岐器４ａ、４ｂ、…が、映像制御機７には第２の映像系幹線Ｌ２ｂを介して各分岐器４ａ、４ｂ、…がそれぞれ接続されている。また、各分岐器４ａ、４ｂ、…は、第３の制御・通話系幹線Ｌ３ａを介して対応する居室端末２ａ、２ｂ、…に、第３の映像系幹線Ｌ３ｂを介して対応する居室モニタ３ａ、３ｂ、…にそれぞれ接続されている。さらに、通信制御機６は、第４の制御・通話系幹線Ｌ４ａを介して管理室親機５に接続されている。
【００１５】
集合玄関機１は、テンキーなどから成る呼出操作部１１および来訪者を撮像するカメラ１２を備えており、また、各居室端末２ａ、２ｂ、…は、それぞれ同様の構成とされ、それぞれ制御信号識別回路２１およびモニタ駆動信号出力回路２２を備えている。さらに、各居室モニタ３ａ、３ｂ、…は、それぞれ同様の構成とされ、それぞれモニタ回路３１、モニタ駆動回路３２、映像信号受信回路３３およびモニタ駆動電源回路３４を備えている。ここで、呼出操作部１１は、カメラ１２および第１の制御・通信系Ｌ１ａに接続され、カメラ１２には第１の映像系幹線Ｌ１ｂが接続されている。また、各制御信号識別回路２１は、それぞれモニタ駆動信号出力回路２２および対応する第３の制御・通信系Ｌ３ａに接続され、各モニタ駆動信号出力回路２２にはそれぞれ対応するモニタ駆動回路３２が接続されている。また、各モニタ駆動回路３２は、それぞれ映像信号受信回路３３、モニタ駆動電源回路３４および対応する第３の映像系幹線Ｌ３ｂに接続され、各映像信号受信回路３３および各モニタ駆動電源回路３４にはそれぞれモニタ回路３１が接続されている。
【００１６】
通話制御機６は、制御信号出力回路６１、過電流受信回路６２、通話合成回路６３、管理室親機通信回路６４および居室番号記憶部６５を有する制御機ＣＰＵ６６を備えており、また、映像制御機７は、過電流通知回路７１、過電流検出回路７２、電源供給回路７３および映像信号受信回路７４を備えている。ここで、制御機ＣＰＵ６６は、制御信号出力回路６１、過電流受信回路６２、通話合成回路６３および第１の制御・通話系幹線Ｌ１ａに接続され、制御信号出力回路６１には第２の制御・通話系幹線Ｌ２ａが、過電流受信回路６２には過電流通知回路７１が、通話合成回路６３には管理室親機通信回路６４がそれぞれ接続されている。また、過電流検出回路７２は、過電流通知回路７１、電源供給回路７３、映像信号受信回路７４および第２の映像系幹線Ｌ２ｂに接続され、映像信号受信回路７４には第１の映像系幹線Ｌ１ｂが接続されている。
【００１７】
管理室親機５は、管理室親機受信回路５１および拡声スピーカ５２を備えており、管理室親機受信回路５１は、拡声スピーカ５２および第４の制御・通話系幹線Ｌ４ａに接続されている。
【００１８】
次に、このように構成された本発明の集合住宅用インターホンシステムの動作について説明する。
【００１９】
先ず、集合住宅の共同玄関に居る来訪者が、例えば居室端末２ａ（以下「第１の居室端末２ａ」という。）内の居住者を呼び出すために、集合玄関機１の呼出操作部１１で第１の居室端末２ａに予め割り当てられている居室番号（以下「第１の居室番号」という。）を選択し、呼出ボタン（不図示）を押下すると、呼出相手先情報（第１の居室番号）を含有する呼出信号が第１の制御・通話系幹線Ｌ１ａを介して制御機ＣＰＵ６６へ伝送される。
【００２０】
かかる呼出信号が制御機ＣＰＵ６６で検出されると、当該制御機ＣＰＵ６６の制御により、現在呼出している第１の居室端末２ａの居室番号（第１の居室番号）が居室番号記憶部６５に格納されるとともに、制御信号出力回路６１から呼出相手先情報を含有する制御信号が出力され、この制御信号が第２の制御・通話系幹線Ｌ２ａ、第１の居室端末２ａに対応する分岐器４ａ（以下「第１の分岐器４ａ」という。）および第３の制御・通話系幹線Ｌ３ａを介して第１の居室端末２ａの制御信号識別回路２１（以下「第１の制御信号識別回路２１」という。）へ伝送される。
【００２１】
そして、第１の制御信号識別回路２１において、制御信号に含有されている呼出相手先情報（第１の居室番号）と予め自端末に割当てられている居室番号との一致が識別されると、第１の居室端末２のスピーカ（不図示）から呼出音が放音され第１の居室端末２ａに係る居住者（以下「第１の居住者」という。）に対して来訪者からの呼び出しが報知される。ここで、来訪者からの呼び出しを確認した第１の居住者がハンドセット（不図示）などを取上げて応答操作を行なうと、第１の制御信号識別回路２１、第３の制御・通話系幹線Ｌ３ａ、第１の分岐器４ａ、第２の制御・通話系幹線Ｌ２ａ、制御信号出力回路６１、制御機ＣＰＵ６６および第１の制御・通話系幹線Ｌ１ａを介して第１の居室端末２の通話機能と集合玄関機１の通話機能との間に通話ラインが形成され、この通話ラインを介して音声信号を送受信させることができる。
【００２２】
また、これと共に、第１の居室端末２のモニタ駆動信号出力回路２２（以下「第１のモニタ駆動信号出力回路２２」という。）からモニタ駆動信号が出力され、このモニタ駆動信号が第１の居室端末２ａに対応する居室モニタ３ａ（以下「第１の居室モニタ３ａ」という。）のモニタ駆動回路３２（以下「第１のモニタ駆動回路３２」という。）へ送出されると、これに応じて、映像制御機７の電源供給回路７３から第１の居室モニタ３ａに対して当該第１の居室モニタ３ａを動作させるのに必要な電源が供給される。これにより、第１の居室モニタ３ａの映像信号受信回路３３（以下「第１の映像信号受信回路３３」という。）、モニタ駆動電源回路３４（以下「第１のモニタ駆動電源回路３４」という。）およびモニタ回路３１（以下「第１のモニタ回路３１」という。）が駆動される。
【００２３】
また、これと共に、電源供給回路７３から集合玄関機１のカメラ１２へ電源が供給され、カメラ１２が動作する。これにより、カメラ１２で撮像された来訪者の映像は、信号処理され映像信号として、第１の映像系幹線Ｌ１ｂ、映像信号受信回路７４、過電流検出回路７２、第２の映像系幹線Ｌ２ｂ、第１の分岐器４ａ、第３の映像系幹線Ｌ３ｂ、第１のモニタ駆動回路３２および第１の映像信号受信回路３３を介して第１のモニタ回路３１へ伝送される。これにより、第１の居室モニタ３ａの表示部（不図示）に来客者の映像が映し出される。
【００２４】
次に、第１の居室モニタ３ａの回路に故障が発生した場合の動作について説明する。
【００２５】
先ず、第１のモニタ回路３１、第１の映像信号受信回路３３および第１のモニタ駆動電源回路３４などの何れかに故障が発生すると、電源供給回路７３から過電流が過電流検出回路７２、第２の映像系幹線Ｌ２ｂ、第１の分岐器４ａおよび第３の映像系幹線Ｌ３ｂを介して第１の居室モニタ３ａへ流れる。
【００２６】
そして、かかる過電流が過電流検出回路７２で検出されると、過電流保護回路（不図示）が動作し第１の居室モニタ３ａに対する電源供給回路７３からの電源供給が停止されると共に、過電流検出回路７２から過電流の検出信号が過電流通知回路７１へ伝送され、当該過電流通知回路７１から居室モニタ３ａ、３ｂ、…の何れかに過電流が流れている旨の過電流情報が過電流受信回路６２へ伝送される。
【００２７】
これにより、過電流受信回路６２から過電流信号が出力され、この過電流信号が制御機ＣＰＵ６６で検出されると、制御機ＣＰＵ６６の制御により、呼出時に居室番号記憶部６５に格納された第１の居室番号が読み出され、当該第１の居室番号が過電流信号と共に通話合成回路６３へ伝送される。
【００２８】
そして、通話合成回路６３において、過電流警報音と第１の居室番号とが合成され、通話メッセージとして管理室親機通信回路６４および第４の制御・通話系幹線Ｌ４ａを介して管理室親機受信回路５１へ伝送される。これにより、拡声スピーカ５２から、例えば「○○○号室の居室モニタにおいて故障が発生しました」というメッセージが放音される。これにより、管理人に対して第１の居室モニタ３ａで異常が発生した旨が通知される。
【００２９】
なお、前述の実施例では、来訪者が第１の居住者を呼び出す場合について説明しているが、来訪者または管理人が他の居室端末に係る居住者を呼び出す場合や特定の居室端末に係る居住者が管理人を呼び出す場合も、前述と同様に、制御機ＣＰＵ６６の制御により、集合玄関機１の通話機能、居室端末２ａ、２ｂ、…の通話機能、管理室親機５の通話機能との間に通話ラインを形成し、この通話ラインを介して音声信号を送受信させることができる。また、居室端末２ａ、２ｂ、…および居室モニタ３ａ、３ｂ、…は２台に限定されず、システムの規模により３台以上設置してもよい。
【００３０】
【発明の効果】
以上の説明から明らかなように、本発明の集合住宅用インターホンシステムによれば、居室モニタに異常な過電流が流れた場合、当該過電流が映像制御機の過電流検出回路で検出され、居室モニタの異常状態が警報音と居室番号の通話メッセージとして管理室親機へ通知されることから、居住者から居室モニタに故障が発生した旨の通知がない場合であっても、管理人においては、いずれの居室モニタで故障が発生しているかを判別することができ、また、当該居住者が不在の場合であっても、居室モニタの故障の発生を自動的に検出することができる。
【図面の簡単な説明】
【図１】本発明の一実施例を示す集合住宅用インターホンシステムのブロック図。
【符号の説明】
１…集合玄関機
２ａ、２ｂ…居室端末
３ａ、３ｂ…居室モニタ
５…管理室親機
５１…管理室親機受信回路
５２…拡声スピーカ
６…通話制御機
６２…過電流受信回路
６３…通話合成回路
６４…管理室親機通信回路
６５…居室番号記憶部
７…映像制御機
７１…過電流通知回路
７２…過電流検出回路
７４…映像信号受信回路
Ｌ１ａ…制御・通話系幹線（第１の制御・通話系幹線）
Ｌ１ｂ…映像系幹線（第１の映像系幹線）
【図１】
2004179926.tif 000003